(57)【要約】【課題】曲げ部分の曲率半径を小さくしようとすると当該部分におけるディスプレイの配線の断線するおそれが増大する場合がある。【解決手段】それぞれアノード電極と、発光層と、カソード電極を含む複数の画素と、前記複数の画素をそれぞれ駆動する複数の駆動ＴＦＴと、前記複数の画素に接続された複数の配線と、前記複数の画素に走査信号を供給する複数の走査線と、有する可撓性を有する表示装置であって、前記複数の走査線に沿った所定の折り曲げ部分において、前記複数の配線が分断されていることを特徴とする。【選択図】図４
2019102130.tif 000002
【特許請求の範囲】
【請求項１】
可撓性の基板と、
それぞれアノード電極と、発光層と、カソード電極を含む複数の画素と、
前記複数の画素をそれぞれ駆動する複数の駆動ＴＦＴと、
前記複数の画素に接続された複数の配線と、
前記複数の画素に走査信号を供給する複数の走査線と、
を有する可撓性を有する表示装置であって、
前記複数の走査線に沿った所定の折り曲げ部分において、前記複数の配線が分断されていることを特徴とする表示装置。
【請求項２】
前記複数の配線は、前記複数の駆動ＴＦＴにアノード電源を供給するアノード電源線を含むことを特徴とする請求項１記載の表示装置。
【請求項３】
前記複数の配線は、前記複数の画素へ信号を供給する信号線を含むことを特徴とする請求項１または２記載の表示装置。
【請求項４】
前記表示装置は、前記所定の折り曲げ部分の両側に、対応する前記複数の走査線にそれぞれ走査信号を供給する走査回路を有することを特徴とする請求項１乃至３のいずれかに記載の表示装置。
【請求項５】
前記カソード電極は、前記複数の画素に共通して一体的に形成されていることを特徴とする請求項１乃至４のいずれかに記載の表示装置。
【請求項６】
前記カソード電極は、前記所定の折り曲げ部分で分断されていることを特徴とする請求項１乃至４のいずれかに記載の表示装置。
【請求項７】
前記複数の駆動ＴＦＴを含む積層構造は、前記基板の側から、少なくとも１の無機膜と、有機平坦膜とを有し、
前記所定の折り曲げ部分において、前記基板と前記有機平坦膜との間の構造が分断されていることを特徴とする請求項１乃至６のいずれかに記載の表示装置。
【請求項８】
前記複数の画素は、無機材料で形成されたバンクによって区画されていることを特徴とする請求項１乃至７のいずれかに記載の表示装置。
【請求項９】
前記複数の配線が分断されている分断領域は、前記複数の画素のうち隣接する２つの画素の間に位置することを特徴とする請求項１乃至８のいずれかに記載の表示装置。
【請求項１０】
前記複数の配線が分断されている分断領域は、の距離は、前記表示装置の断面からみて、前記アノード電極のピッチよりも短いことを特徴とする請求項１乃至９のいずれかに記載の表示装置。
【請求項１１】
前記複数の配線が分断されている分断領域において、前記カソード電極が配置される位置に前記表示装置の中立面が位置することを特徴とする請求項１乃至１０のいずれかに記載の表示装置。
【請求項１２】
可撓性の基板と、
前記基板の上に位置する第１無機膜と、
前記第１無機膜の上に位置するＴＦＴと、
前記ＴＦＴのゲート電極の上に位置する第２無機膜と、
前記第２無機膜の上に位置する配線と、
前記ＴＦＴの上に位置する有機膜と、
前記有機膜の上に位置する第１画素電極を有する第１画素と、
前記第１画素に隣接し、前記有機膜の上に位置する第２画素電極を有する第２画素と、
前記基板が湾曲している折り曲げ部と、を有し、
前記折り曲げ部は、前記第１画素電極と前記第２画素電極との間の境界部を含み、
前記境界部は、前記ＴＦＴと前記配線とが位置しない領域を有する、表示装置。
【請求項１３】
前記配線は、前記領域で分断されている、請求項１２に記載の表示装置。
【請求項１４】
分断された前記配線の一方と他方との間には、前記有機膜が位置する、請求項１３に記載の表示装置。
【請求項１５】
前記領域には、前記第２無機膜が位置しない、請求項１２乃至１４のいずれかに記載の表示装置。
【請求項１６】
前記領域には、前記第１無機膜が位置しない、請求項１５に記載の表示装置。
【請求項１７】
前記第１無機膜と前記第２無機膜とは、前記領域で分断され、
分断された前記第１無機膜の一方と他方との間、及び分断された前記第２無機膜の一方と他方との間には、前記有機膜が位置する、請求項１６に記載の表示装置。
【請求項１８】
前記基板を非湾曲状態にしたとき、
前記第１画素電極の下、及び前記第２画素電極の下には、前記配線が位置する、請求項１２乃至１７のいずれかに記載の表示装置。
【請求項１９】
前記基板を非湾曲状態にしたとき、
前記第１画素電極及び前記第２画素電極は、前記ＴＦＴの少なくとも一部と重なる、請求項１２乃至１８のいずれかに記載の表示装置。
【発明の詳細な説明】
【技術分野】
【０００１】
本発明は、表示装置に関する。
【背景技術】
【０００２】
下記特許文献１、２には、折り曲げたり、湾曲させたりすることが可能な可撓性を有するフレキシブルディスプレイが開示されている。そして、特許文献２には、一定方向に湾曲できるフレキシブルディスプレイにおいて、データ線に沿った方向に湾曲した際にデータ線が断線しないように、データ線を画素ピッチ毎にクランク状に屈曲させて配置される。これにより、ディスプレイが湾曲した場合でもデータ線への歪の蓄積は画素ピッチの長さ分だけになり、歪をより小さくすることができ、断線を防止することができる。
【先行技術文献】
【特許文献】
【０００３】
【特許文献１】特開２０１７−７２６６８号公報
【特許文献２】特開２００９−４８００７号公報
【発明の概要】
【発明が解決しようとする課題】
【０００４】
しかしながら、上記特許文献１または２に開示のフレキシブルディスプレイにおいては、例えば、折り畳んで使用するスマートフォン等のように、あらかじめ設定された曲げ部分で折り畳んで使用するような曲げ部分の曲率半径を小さくするような使用形態については開示がない。そして、そのような使用形態において、曲げ部分の曲率半径を小さくしようとすると、当該部分に局所的な応力がかかるため、当該部分におけるディスプレイの配線の断線するおそれが増大する場合がある。
【０００５】
そこで、本発明は、上記課題に鑑み、例えば、あらかじめ設定された曲げ部分で折り畳んで使用するような曲げ部分の曲率半径を小さくする表示装置において、当該曲げ部分におけるディスプレイの配線（信号線やアノード電源線等）の断線をより効果的に防止することのできる表示装置を実現する。
【課題を解決するための手段】
【０００６】
（１）本発明の表示装置は、それぞれアノード電極と、発光層と、カソード電極を含む複数の画素と、前記複数の画素をそれぞれ駆動する複数の駆動ＴＦＴと、前記複数の画素に接続された複数の配線と、前記複数の画素に走査信号を供給する複数の走査線と、を有する可撓性を有する表示装置であって、前記複数の走査線に沿った所定の折り曲げ部分において、前記複数の配線が分断されていることを特徴とする。
【０００７】
（２）上記（１）に記載の表示装置において、前記複数の配線は、前記複数の駆動ＴＦＴにアノード電源を供給するアノード電源線を含むことを特徴とする。
【０００８】
（３）上記（１）または（２）に記載の表示装置において、前記複数の配線は、前記複数の画素へ信号を供給する信号線を含むことを特徴とする。
【０００９】
（４）上記（１）乃至（３）のいずれかに記載の表示装置において、前記表示装置は、前記所定の折り曲げ部分の両側に、対応する前記複数の走査線にそれぞれ走査信号を供給する走査回路を有することを特徴とする。
【００１０】
（５）上記（１）乃至（４）のいずれかに記載の表示装置において、前記カソード電極は、前記複数の画素に共通して一体的に形成されていることを特徴とする。
【００１１】
（６）上記（１）乃至（４）のいずれかに記載の表示装置において、前記カソード電極は、前記所定の折り曲げ部分で分断されていることを特徴とする。
【００１２】
（７）上記（１）乃至（６）のいずれかに記載の表示装置において、前記複数の駆動ＴＦＴを含む積層構造は、基板側から、少なくとも１の無機膜と、有機平坦膜とを有し、前記所定の折り曲げ部分において、前記基板と前記有機平坦膜との間の構造が分断されていることを特徴とする。
【００１３】
（８）上記（１）乃至（７）のいずれかに記載の表示装置において、前記複数の画素は、無機材料で形成されたバンクによって区画されていることを特徴とする。
【００１４】
（９）上記（１）乃至（８）のいずれかに記載の表示装置において、前記複数の配線が分断されている分断領域は、前記複数の画素のうち隣接する２つの画素の間に位置することを特徴とする。
【００１５】
（１０）上記（１）乃至（９）のいずれかに記載の表示装置において、前記複数の配線が分断されている分断領域は、前記表示装置の断面からみて、前記アノード電極のピッチよりも短いことを特徴とする。
【００１６】
（１１）上記（１）乃至（１０）のいずれかに記載の表示装置において、前記複数の配線が分断されている分断領域において、前記カソード電極が配置される位置に前記表示装置の中立面が位置することを特徴とする。
【図面の簡単な説明】
【００１７】
【図１】第１の実施形態にかかる有機ＥＬ表示装置の外観の一例を示す図である。
【図２】第１の実施形態にかかる有機ＥＬ表示装置の構成の概要を示す図である。
【図３】図２の有機ＥＬディスプレイの概要を説明するための図である。
【図４】図３の折り曲げ部分周辺を拡大した一例を示す図である。
【図５】第１の実施形態にかかる有機ＥＬ表示装置の１画素についての回路構成の一例を示す図である。
【図６】第１の実施形態における図４の折り曲げ部分周辺の一部の概要を示す断面図である。
【図７】第２の実施形態における図４の折り曲げ部分周辺の一部の概要を示す断面図である。
【図８】第３の実施形態における図４の折り曲げ部分周辺の一部の概要を示す断面図である。
【発明を実施するための形態】
【００１８】
以下、本発明の実施形態について、図面を参照しつつ説明する。なお、図面については、同一又は同等の要素には同一の符号を付し、重複する説明は省略する。
【００１９】
［第１の実施形態］
図１は、本実施の形態にかかる有機ＥＬ表示装置の外観の一例を示す図である。図１に示すように、有機ＥＬ（Organic Electro-luminescent）表示装置１００に含まれる有機ＥＬディスプレイ１０１は、可撓性を有し、予め設定された折り曲げ部分で折り畳んで使用することができる。つまり、有機ＥＬディスプレイ１０１の表示面が湾曲しており、有機ＥＬ表示装置１００は折り曲げ部を有する。なお、図１は、折り畳んだ状態における有機ＥＬ表示装置１００を示し、当該有機ＥＬ表示装置は表示面を非湾曲状態にして使用することもできる。また、図１に示した外観は一例であって、他の外観を有してもよい。例えば、本実施の形態においては、説明の便宜のため、表示画面が外側に折り畳む有機ＥＬ表示装置１００について説明したが、内側に折り畳む構成等その他の構成であってもよい。
【００２０】
図２は、本実施の形態にかかる有機ＥＬ表示装置の構成の概要を示す図である。図２に示すように、例えば、有機ＥＬ表示装置１００は、有機ＥＬディスプレイ１０１、２の外部駆動回路１０２、電源回路１０３、表示制御回路１０４を有する。
【００２１】
ここで、有機ＥＬディスプレイ１０１は可撓性を有し、例えば、折り曲げ部分１０５で折り畳むように折り曲げることができる。折り畳み方向は、有機ＥＬディスプレイ１０１の表示画面が外側及び／または内側になるように折り畳むことができるように形成する。また、図２においては、折り曲げ部分１０５が有機ＥＬディスプレイ１０１の略中央に位置する場合を示しているが、後述する有機ＥＬディスプレイ１０１の後述するアノード電源線や信号線に沿った方向であれば、異なる位置に形成してもよい。
【００２２】
次に、有機ＥＬ表示装置１００の回路構成の概要について説明する。表示制御回路１０４は、駆動・表示信号を２の外部駆動回路１０２に供給するとともに、電源回路１０３に電源制御信号を供給する。そして、駆動・表示信号や電源制御信号を制御することにより、有機ＥＬディスプレイ１０１の表示領域に形成された各画素を制御し、画像を表示する。
【００２３】
電源回路１０３は、有機ＥＬディスプレイ１０１の後述する共通カソード電極にカソード電源（カソード電圧ともいう）を供給するとともに、有機ＥＬディスプレイ１０１の折り曲げ部分１０５の両側から、有機ＥＬディスプレイ１０１の後述するアノード電源線にアノード電源(アノード電圧ともいう)を供給する。つまり、有機ＥＬディスプレイ１０１の駆動・表示信号は２の電源経路で入力する一方、カソード電源は１の電源経路で入力する。これにより、有機ＥＬディスプレイ１０１の画面内の輝度の折り曲げ部分１０５の両側での差異を小さくすることができる。
【００２４】
なお、折り曲げ部分１０５の両側の表示画面は、１つの表示画面として一体的に表示させてもよいし、折り曲げ部分１０５の両側で異なる画像を表示させてもよい。また、図２においては、カソード電源は１の電源経路で入力する場合を示しているが、後述するように共通カソード電極についても分断する場合には、駆動信号・表示信号と同様に、２の電源経路で入力するように形成してもよい。
【００２５】
図３は、図２の有機ＥＬディスプレイの概要を説明するための図である。上述したように、有機ＥＬ表示ディスプレイ１０１の折り曲げ部分１０５の両側に配置されたそれぞれ２の外部駆動回路１０２に駆動・表示信号が供給される。また、有機ＥＬ表示ディスプレイ１０１の折り曲げ部分１０５の両側にはそれぞれ走査回路３０１が形成されており、２の外部駆動回路１０２からそれぞれ、走査回路駆動信号線３０２を介して、有機ＥＬ表示ディスプレイ１０１の走査線３０３に走査信号が供給される。また、有機ＥＬディスプレイ１０１のアノード電源線４０１には、折り曲げ部分１０５の両側から２の電源経路（アノード電源配線３０４）で電源回路１０３からアノード電源が供給される。一方、共通カソード電極３０５については、有機ＥＬディスプレイ１０１の表示領域で、複数の画素３０８に共通して形成されており、電源回路１０３から、カソード電源線３０６を介して１の電源経路でカソード電源(例えば接地電位)が供給される。
【００２６】
また、図３に示すように、有機ＥＬ表示ディスプレイ１０１には、２の外部駆動回路１０２からそれぞれ延伸する複数の信号線３０７が形成されるとともに、２の走査回路３０１からそれぞれ走査信号が供給される。言い換えれば、走査回路３０１についても折り曲げ部分１０５で分断されている。そして、複数の信号線３０７及び複数の走査回路３０１でマトリクス状に区画されたそれぞれの領域に画素３０８が形成される。なお、下記においては、画素３０８が形成されている領域を「画素形成領域」という。なお、図３は模式図であって、図３に示した構成（例えば、画素３０８の数）に限定されないことはいうまでもない。
【００２７】
図４は、図３の折り曲げ部分周辺を拡大した一例を示す図である。具体的には、図４は、図３の折り曲げ部分１０５を図の中央縦向きに配置した場合の拡大図の一例を示である。図４に示すように、折り曲げ部分１０５では、アノード電源線４０１、信号線３０７、無機膜（図示なし）が除去されて分断されるが、分断の断面の詳細については後述する。なお、当該分断されて除去された領域を分断領域６１１と称する。また、画素形成領域においては、画素３０８毎に、アノード電極４０２（画素電極）、書き込みＴＦＴ４０３（Thin Film Transistor）、駆動ＴＦＴ４０４が形成される。書込みＴＦＴ４０３のゲートは走査線３０３に接続される。書き込みＴＦＴ４０３のソースは駆動ＴＦＴ４０４のゲートに接続される。書き込みＴＦＴ４０３のドレインは信号線３０７に接続される。また、駆動ＴＦＴ４０４のドレインは、アノード電源線４０１に接続され、駆動ＴＦＴ４０４のゲートはアノード電極４０２に接続される。なお、書き込みＴＦＴ４０３、駆動ＴＦＴ４０４等で構成される回路や接続関係の詳細については図５を用いて説明する。
【００２８】
図５は、本実施の形態にかかる有機ＥＬ表示装置の１画素についての回路構成の一例を示す図である。図５に示すように、走査線３０３は書き込みＴＦＴ４０３のゲートに接続されており、走査回路３０１から走査信号が印加されると、書き込みＴＦＴ４０３がオン状態になる。このとき、外部駆動回路１０２から信号線３０７に階調値に応じた信号が印加されると、信号容量５０１に電荷が蓄積され、駆動ＴＦＴ４０４のゲートに電圧が印加され、駆動ＴＦＴ４０４がオン状態になる。ここで書き込みＴＦＴ４０３がオフ状態となっても、信号容量５０１に蓄えられた電荷により、一定期間は駆動ＴＦＴ４０４がオン状態になる。有機ＥＬ素子５０２のアノードは、駆動ＴＦＴ４０４のソース・ドレイン間を通じてアノード電源線４０１に接続されており、有機ＥＬ素子５０２のカソードにはカソード電圧が印加されているから、駆動ＴＦＴ４０４のゲート電圧に応じて有機ＥＬ素子５０２に電流が流れ、有機ＥＬ素子５０２が発光する。また、付加容量５０３が駆動ＴＦＴ４０４のソースとカソード電圧(或いは接地電位)との間に形成される。付加容量５０３は、信号容量５０１に書き込まれる電圧を安定させる効果を発揮し、有機ＥＬ素子５０２の安定動作に寄与する。具体的には、信号容量５０１の静電容量よりも付加容量５０３の静電容量が大きくなるようにすることで当該効果が発揮される。なお、上記画素回路の動作の詳細については周知であるので、詳細については説明を省略する。
【００２９】
図６は、本実施の形態における図４の折り曲げ部分周辺の一部の断面及び画素３０８の断面の概要を示す図である。図６に示すように、有機ＥＬ表示装置１００は、図の下側から、有機ＥＬシート基板６０１、第１の無機層間膜６０２（第１無機膜）、第２の無機層間膜６０３（第２無機膜）、アノード電源線４０１、有機平坦化膜６０４（有機膜）、アノード電極４０２、有機ＥＬ層６０５、共通カソード電極３０５、封止膜６０６、有機保護フィルム６０７を含む。有機ＥＬ層６０５は、ホール注入層、ホール輸送層、電子ブロック層、発光層、ホールブロック層、電子輸送層、電子注入層を含んでもよい。図６において、有機ＥＬ層６０５は複数の画素３０８（図３に示す）に跨って配置されている。有機ＥＬ層６０５に含まれる各層の一部が、例えば発光層が、画素３０８毎に配置されてもよい。第１の無機層間膜６０２は下地膜ともいう。
【００３０】
具体的には、図６に示すように、第１の無機層間膜６０２上には、半導体層６０８、ゲート絶縁膜、ゲート電極６０９を含む駆動ＴＦＴ４０４が形成される。アノード電源線４０１は駆動ＴＦＴ４０４のドレイン電極を介して駆動ＴＦＴ４０４の半導体層６０８のドレイン領域に接続される。また、半導体層６０８の上方には、当該駆動ＴＦＴ４０４のゲート電極６０９が配置される。ゲート電極６０９と駆動ＴＦＴ４０４のソース・ドレイン電極との間、ゲート電極６０９とアノード電源線４０１との間には、無機材料からなる層間絶縁膜が配置される。図６に示す第２の無機層間膜６０３は、上述のゲート絶縁膜、層間絶縁膜を含む。
【００３１】
図５に示す有機ＥＬ素子５０２は、アノード電極４０２、有機ＥＬ層６０５、共通カソード電極３０５から形成される。また、アノード電極４０２の端部を覆うバンク６１０が配置される。バンク６１０は、複数の画素３０８を区画している。有機ＥＬ層６０５はアノード電極４０２の上部及びバンク６１０の上部を覆うように配置され、有機ＥＬ層６０５の上部に共通カソード電極３０５が配置される。なお、バンク６１０は、有機材料で形成される。アノード電極４０２は、反射率の高い金属層や当該金属層を含む積層膜で、例えばＩＴＯ(Indium Tin Oxide)、銀、ＩＴＯの積層で、形成される。共通カソード電極３０５は、例えばマグネシウムと銀との合金やＩＴＯやＩＺＯ(Indium Tin Oxide)等で形成される。
【００３２】
ここで、図６に示すように、アノード電源線４０１は、有機ＥＬ表示装置１００の折り曲げ部分１０５において、分断され、分断領域６１１が形成されている。具体的には、アノード電源線４０１の分断領域６１１の距離は、アノード電極４０２のピッチ（隣接するアノード電極４０２中心間の距離）、つまり、画素開口のピッチよりも小さい。つまり、隣接する２つの画素３０８の間の境界部に、言い換えれば隣接する２つのアノード電極４０２の間の境界部に、分断領域６１１が位置する。同様に、アノード電源線４０１に沿って配置される信号線３０７についても、折り曲げ部分１０５において、分断され、その分断領域６１１の距離は、アノード電極４０２のピッチよりも小さい。なお、当該分断領域６１１には、有機平坦膜６０４が位置している。
【００３３】
また、本実施の形態においては、共通カソード電極３０５は、アノード電源線４０１等とは異なり、折り曲げ部分１０５で分割しない。言い換えれば、共通カソード電極３０５は分断領域６１１で分断せずに一体的に形成する。これにより、折り曲げ部分１０５の両側での有機ＥＬディスプレイ１０１の画面内の輝度が、折り曲げ部分１０５で共通カソード電極３０５を分割した場合に比べ、画面内の輝度をより均一にすることができる。
【００３４】
更に、共通カソード電極３０５が配置される位置に、折り曲げ部分１０５の中立面６１２が位置するように設計することが好ましい。この場合、例えば、図６に示すアノード電極４０２の上部と、共通カソード電極３０５の間またはこれに近接する位置に中立面６１２が位置する。より好ましくは、例えば、共通カソード電極３０５の位置またはこれに近接する位置に中立面６１２が位置する。なお、中立面とは、曲げによって伸縮しない面、つまり、引っ張り歪みも圧縮歪みもない面である。当該中立面６１２の位置の調整は、例えば、有機ＥＬディスプレイ１０１を構成する１または複数の層（有機保護フィルム６０７等）の厚さを調整等することにより行う。これにより、折り曲げ部分１０５において共通カソード電極３０５への応力の伝達を防止し、折り曲げ部分１０５における共通カソード電極３０５の断線をより効果的に防止することができる。また、上記においてはアノード電源線４０１が分断されている断面について説明したが、信号線３０７が分断されている場合の断面についても同様である。
【００３５】
本実施の形態によれば、折り曲げ部分１０５における配線、具体的には、アノード電源線４０１、信号線３０７、走査回路３０１内の配線の断線を防止することができるとともに、折り曲げ部分１０５の折り曲げ半径をより小さくすることができる。また、アノード電源線４０１や信号線３０７は分断されているが、第１の無機層間膜６０２及び第２の無機層間膜６０３については分断されていないため、折り曲げ部分１０５でアノード電源線４０１や信号線３０７を分断したとしても有機シート基板６０１側からの水分の侵入を防止することができる。
【００３６】
なお、本発明は、上記実施の形態に限定されるものではなく、種々の変形が可能であり、上記実施形態で示した構成を実質的に同一の構成、同一の作用効果を奏する構成または同一の目的を達成できる構成で置き換えることができる。
【００３７】
［第２の実施形態］
次に、本発明の第２の実施形態について説明する。本実施の形態においては、図７に示すように、本実施の形態においては、折り曲げ部分１０５において、アノード電源線４０１や信号線３０７に加え、アノード電源線４０１や信号線３０７の下方に位置する無機膜まで除去する点が第１の実施形態と異なる。なお、下記において第１の実施形態と同様である点については説明を省略する。
【００３８】
図７は、本実施の形態における図４の折り曲げ部分周辺の一部の断面及び画素３０８の断面の概要を示す図である。図７に示すように、第１の実施形態と異なり、本実施の形態においては、アノード電源線４０１の分断領域７０１に合わせて、アノード電源線４０１から有機シート基板６０１の上部までの間の構造が除去される。具体的には、当該除去される構造は、図７に示す第１の無機層間膜６０２や第２の無機層間膜６０３を含む。これにより、折り曲げ部分１０５における曲げやすさを更に向上させることができる。当該分断領域７０１には、即ち、上述の構成要素が除去された領域には、有機平坦膜６０４が充填されている。
【００３９】
なお、本発明は、上記実施の形態に限定されるものではなく、種々の変形が可能であり、上記実施形態で示した構成を実質的に同一の構成、同一の作用効果を奏する構成または同一の目的を達成できる構成で置き換えることができる。
【００４０】
［第３の実施形態］
次に、本発明の第３の実施形態について説明する。本実施の形態においては、図８に示すように、第２の実施形態と同様に、折り曲げ部分１０５において、アノード電源線４０１や信号線３０７に加え、アノード電源線４０１や信号線３０７の下方に位置する無機膜まで除去する。しかしながら、本実施の形態では、複数の画素３０８を区画するバンクを無機材料（例えば、ＳｉＮ）で形成する点が第１及び第２の実施形態と異なる。なお、下記において第１及び第２の実施形態と同様である点については説明を省略する。
【００４１】
図８は、本実施の形態における図４の折り曲げ部分周辺の一部の断面及び画素３０８の断面の概要を示す図である。図８に示すように、第１の実施形態と異なり、本実施の形態においては、アノード電源線４０１の分断領域７０１に合わせて、アノード電源線４０１から有機シート基板６０１上部までの間の構造が除去される。具体的には当該除去される構造は、図８に示す第１の無機層間膜６０２や第２の無機層間膜６０３を含む。これにより、折り曲げ部分１０５における曲げやすさを更に向上させることができる。
【００４２】
また、第２の実施形態と異なり、複数の画素３０８を区画するバンク８０１を無機材料（例えば、ＳｉＮ）で形成する。これにより、有機ＥＬ層６０５への有機シート基板６０１側からの水分の侵入をバンク８０１により防止することが可能となり、高湿度環境下における有機ＥＬ表示装置１００の信頼性を向上させることができる。
【００４３】
本発明は、上記第１乃至第３の実施の形態に限定されるものではなく、種々の変形が可能である。例えば、上記第１乃至第３の実施形態で示した構成を実質的に同一の構成、同一の作用効果を奏する構成または同一の目的を達成できる構成で置き換えることができる。
【００４４】
例えば、上記第１乃至第３の実施の形態においては、共通カソード電極３０５については分断しない構成について説明したが、共通カソード電極３０５についても折り曲げ部分１０５で分断する構成としてもよい。この場合、カソード電源は２の電源経路で入力するように構成する。かかる構成によれば、折り曲げ部分１０５の可撓性をより向上させることができ、折り曲げ部分１０５の折り曲げ半径をより小さくすることができる。また、共通カソード電極３０５の折り曲げ部分１０５での断線をより効果的に防止することができる。この場合において、更に、有機ＥＬ層３０５についても分断する構成としてもよい。この場合バンク８０１が無機材料で形成されている場合においては、より水分の侵入を防止することができ、信頼性を向上させることができる。なお、上記においては、表示装置として、有機ＥＬ表示装置を例として説明したが、その他の自発光型表示装置等の表示装置に適用してもよい。また、特許請求の範囲における有機ＥＬ素子は自発光素子を含み、アノード電極は第１の電極を含み、カソード電極は第１の電極に対向する第２の電極を含む。
【符号の説明】
【００４５】
有機ＥＬ表示装置  １００、有機ＥＬディスプレイ  １０１、外部駆動回路  １０２、電源回路  １０３、表示制御回路  １０４、走査回路  ３０１、走査回路駆動信号線  ３０２、走査線  ３０３、アノード電源配線  ３０４、共通カソード電極  ３０５、カソード電源線  ３０６、信号線  ３０７、画素  ３０８、アノード電源線  ４０１、アノード電極  ４０２、書き込みＴＦＴ  ４０３、駆動ＴＦＴ  ４０４、信号容量  ５０１、有機ＥＬ素子  ５０２、付加容量  ５０３、有機ＥＬシート基板  ６０１、第１の無機層間膜  ６０２、第２の無機層間膜  ６０３、有機平坦化膜  ６０４、有機ＥＬ層  ６０５、封止膜  ６０６、有機保護フィルム  ６０７、半導体層  ６０８、ゲート電極  ６０９、バンク  ６１０、８０１、分断領域  ６１１、７０１、中立面  ６１２。
【図１】
2019102130.tif 000003
【図２】
2019102130.tif 000004
【図３】
2019102130.tif 000005
【図４】
2019102130.tif 000006
【図５】
2019102130.tif 000007
【図６】
2019102130.tif 000008
【図７】
2019102130.tif 000009
【図８】
2019102130.tif 000010